(57)【要約】【課題】スピーカユニットを振動させる振動型スピーカにおいて、スピーカユニットの振動により変化するエンクロージャ内部の空気圧の変動によって、スピーカユニットに対するコーンの振動が影響を受ける。機械振動と音響振動の双方の関連性が高く、最適設計の選択範囲が狭い。【解決手段】スピーカユニットの外ヨークの外周とエンクロージャの内周に、気密と弾力性を持つ膜を貼り付けることで、エンクロージャの内部の空間を二つに分ける。膜とスピーカユニットが同じ方向に動くことで、スピーカユニットの振動によるコーン側の空間の容積の増減が連続的に調節可能となり、機械振動と音響振動の独立性を著しく改善する。【選択図】図１
2018107789.tif 000002
【特許請求の範囲】
【請求項１】
電気信号を音響信号に変換するユニットをスピーカユニットとし、
スピーカユニットとエンクロージャを一体化させたものをスピーカとし、
スピーカユニットのボイスコイルの振動方向を振動軸とし、
密閉とは低音再生に必要充分な気密とし、
スピーカユニットのコーン側を前面、外ヨーク側を背面とし、
スピーカユニットのダンパーとエッジによるコーンの振動軸方向の弾性を柔らかくすることで低音の再生範囲を広げることを低スティフネス化とし、
スピーカユニットの振動軸方向にスピーカユニット自体が振動すべくスピーカユニットのフレームとエンクロージャを連結する部品をサポータとし、
サポータは、弾力性と気密性をもつものとし、
スピーカユニットとサポータとエンクロージャからなるスピーカユニットが振動方向に可動範囲を持つスピーカを振動型スピーカとし、
振動型スピーカのスピーカユニット自体の低音域の大きな振動によるところのエンクロージャ内部の空気圧の振動が、低スティフネス化によって柔らかいコーンを大きく揺さぶる現象に伴って、スピーカユニットの動きとは逆方向にコーンを動かす作用を低域振動相殺作用とし、
スピーカユニットの背面にある外ヨークの外周とエンクロージャの内周に取りつけるところの振動方向に弾性を持つ弾性膜部品をセパレータとし、
セパレータはエンクロージャ内部を、
スピーカユニットの前面と外ヨークとエンクロージャとサポータとセパレータからなる第１空間と、
スピーカユニットの背面にある外ヨークとエンクロージャとセパレータからなる第２空間と、の二つの気密空間に分割するものとし、
スピーカユニットがエンクロージャに対し振動軸方向に動いた場合、セパレータが変形することによる第１空間の容積の変化が小さくなることにより、低域振動相殺作用が軽減されるよう、セパレータが機能することを利用するものとし、
低域振動相殺作用がセパレータによって軽減される作用を低域振動相殺軽減作用とし、
セパレータが気密でなく、第１空間と第２空間の空気が容易に流れる場合に比べ、低域振動相殺軽減作用によるところの、エンクロージャを規準としたスピーカユニットの振動がスピーカユニットを規準としたコーンの振動への影響を軽減する方向に改善するところの、エンクロージャ内周とスピーカユニットの外ヨーク外周の間に気密の弾性膜部品を有する振動型スピーカ。
【請求項２】
請求項１に記述のセパレータが、
弾性膜の  エンクロージャの内周に装着する部分  にプラスティックと金属と硬質ゴムのいずれかの材質からなる外枠を有し、弾性膜の  スピーカユニットの外ヨークの外周に装着する部分  にプラスティックと金属と硬質ゴムのいずれかの材質からなる内枠を有するところの、エンクロージャ内部を二つの気密空間に分割する機能の弾性膜部品を有する振動型スピーカ。
【請求項３】
請求項１に記述のセパレータが、
弾性膜の  エンクロージャの内周へ装着する部分  にプラスティックと金属と硬質ゴムのいずれかの材質からなる外枠を有し、弾性膜の  スピーカユニットの外ヨークの外周へ装着する部分  にプラスティックと金属と硬質ゴムのいずれかの材質からなる内枠を有し、外枠と内枠の中間の弾性膜上にプラスティックと金属と硬質ゴムのいずれかの材質からなる中枠を有するところの、エンクロージャ内部を二つの気密空間に分割する機能の弾性膜部品を有する振動型スピーカ。
【請求項４】
請求項１に記述の、エンクロージャ内部を二つの気密空間に分割するセパレータを有し、
セパレータによるところの低域振動相殺軽減作用が機能するスピーカに関し、
請求項１に記述の第１空間にチューニングポートを設けることにより、機械的振動の共振特性との独立性に影響を与えることなく、スピーカユニットに対するコーンの振動による音響の低域再生特性を改善するところの、
エンクロージャ内周とスピーカユニットの外ヨーク外周の間に気密の弾性膜部品を有し、
かつ,請求項１に記述の第１空間にチューニングポートを有する振動型スピーカ。
【請求項５】
請求項１に記述の、エンクロージャ内部を二つの気密空間に分割するセパレータを有し、
セパレータによるところの低域振動相殺軽減作用が機能するスピーカに関し、
請求項１に記述の第２空間にチューニングポートを設けることにより、第１空間側の音響的振動の共振特性との独立性に影響を与えることなく、スピーカユニットの機械振動による音響の低域再生特性を改善するところの、
エンクロージャ内周とスピーカユニットの外ヨーク外周の間に気密の弾性膜部品を有し、
かつ,請求項１に記述の第２空間にチューニングポートを有する振動型スピーカ。
【発明の詳細な説明】
【技術分野】
【０００１】
小形軽量スピーカの低音再生方法。
小形では再生が難しい低音域において、スピーカユニット自身が振動軸方向に振動すべく自由度を持たせ、ボイスコイルの振動をスピーカユニットに伝え、スピーカユニットの振動を、
エンクロージャを介して取り付け先の構造体に伝達し、取り付け先の構造体の放射面積を利用し、より強い低音再生を得る方法。
小形では再生が難しい低音域において、エンクロージャ内部から外気に通じる穴を設けることで、穴の部分の空気の性質を利用した共振特性によって強い低音再生を得る方法。
【背景技術】
【０００２】
機械振動解析と設計
【先行技術文献】
【特許文献】
【０００３】
実願  ２０１５−３２９８
振動型スピーカとその低音再生特性を補正する方法に関する。
振動型スピーカは小形軽量のスピーカユニットで低音再生範囲を広げるために強力な方法の一つであるが、強い共振特性を利用した低音再生効率の改善方法であることから広い再生帯域を得ることが難しい。信号処理によってこの弱点を補正する必要があるが、弱点に対し補正が過ぎると異常音を再生することになり、リニアリティの限界を超えないよう精密な補正を必要とするだけでなく、補正にも限界がある。
特願  ２０１５−２２１０８９
請求項に記述の振動型スピーカの構造に関する。
【発明の概要】
【０００４】
請求項で定義した用語と記号は明細書においても同様とする。
（）内の演算は（）外に優先する。
＋、−、＊、／  は  それぞれ  加算、減算、乗算、除算  の演算子とする。
【発明が解決しようとする課題】
【０００５】
スピーカユニットを振動させる振動型スピーカにおいて、スピーカユニットの機械振動により変化するエンクロージャ内部の空気圧の変動によって、スピーカユニットに対するコーンの音響振動が影響を受ける。特に、低スティフネスのスピーカユニットを使う場品道即ち機械振動と音響振動の双方の独立性が弱く、このことが振動スピーカの最適設計の選択範囲を狭くする。低スティフネスでは、双方の関係が密接に関係し合っていることから、音響振動は機械振動の影響を大きく受けることから、双方の特徴を活かした設計ができない。
【課題を解決するための手段】
【０００６】
第１に、スピーカユニットの外ヨークの外周とエンクロージャの内周に、気密と弾力性を持つ、弾性膜を使ったセパレータを設けることで、エンクロージャの内部の空間を二つに分ける。
第２に、セパレータの形状を維持し、組み立てに必要な部品である  外枠と内枠と中枠  の形状寸法を調節することで双方の独立性の傾向と共振特性を自在に調節することができる。
【発明の効果】
【０００７】
第１に、セパレータとスピーカユニットが同じ方向に動くことで、スピーカユニットの振動によるコーン側の空間の容積変化を減少から増加へと連続的に選択できて、機械振動と音響振動の独立性を著しく改善できる。
第２に、第１の結果ではあるが、第２空間側の機械振動による、第１空間側の音響の低音共振条件への影響が小さくなることで、第１空間側の音響の低音共振条件の選択範囲が広がり、第１空間にチューニングポートを設けることも可能となる。
第３に、第１の結果ではあるが、エッジとダンパーが低スティフネスのスピーカユニットの場合でも、振動型としての特徴を活かした設計が可能となる。
【図面の簡単な説明】
【０００８】
【図１】本案と従来の構造の比較説明図である。（ａ）（ｂ）（ｃ）は従来例の構造図、（ｄ）、（ｅ）、（ｆ）は本案の一例の構造図である。
【図２】第１空間の容積変化の説明のための空間のモデル図
【図３】本案と従来のスピーカの動きと圧力の変化の比較特性図
【発明を実施するための最良の形態】
【０００９】
小型車用小形軽量スピーカシステム
小形卓上スピーカシステム
携帯端末に使われる超小型スピーカシステム
【産業上の利用可能性】
【００１０】
第１に、振動型スピーカの機械振動による低音再生性能とスピーカのコーンから放射される低音再生性能との整合性の設計が容易な小形スピーカ。
第２に、振動型スピーカの機械振動による低音再生性能とチューニングポートによる低音再生性能の双方の長所を活かした小形スピーカ。
第３に、設計段階で最適設計の割り出しが容易でない、振動型スピーカの主要パラメータの選択の段階において、部品選択や部品交換という方法で性能の追い込みが可能となり、生産段階でも、部品交換によるかんいな方法での設計変更の選択範囲が広がる。
【実施例】
【００１１】
図１は、本案と従来の構造の比較説明図である。
図１（ａ）（ｂ）（ｃ）は従来型振動スピーカの説明図、図１（ｄ）（ｅ）（ｆ）は本案の説明図である。図１中、同番号は同機能である。
図１（ａ）は従来の振動型スピーカの一例であり、スピーカユニットが静止している状態の断面図である。1  はスピーカユニット、2  はフレームの空気穴、  3  はコーン、
4  はフレームのエッジが接着されている部分、5  は外ヨーク、6A  はエッジ、7A  は本案のサポータに相当するスピーカユニットの前面を支える部品、8  はエンクロージャ、9  は、エンクロージャの背面の蓋である。
【００１２】
図１（ｂ）は低音振動の共振周波数を調節するための振動方向に弾性を持ち、スピーカユニットの振動軸のブレを防ぐ補助サポータの形状を示す。10A  は補助サポータ、11  は空気の流通穴  である。補助サポータに網目状の空気が通る材質が使われる場合は、空気穴は不要である。
【００１３】
図１（ｃ）はスピーカユニットが動いた場合の構造図である。10C  はスピーカユニットの動きに伴って変形している補助サポータ、101 はスピーカユニットの動き、102  はセパレータの外ヨーク部の動き、103  はフレームのエッジ部の動き  である。101  と  102  と  103  の動きは同じである。104  はコーンの動きである。
コーンの動きはスピーカユニットの動きに伴うところの、エンクロージャ内部の気圧の変化の影響を受ける。
【００１４】
111  はスピーカユニットの背面の空間、112  はスピーカユニットの側面の空間、113  はスピーカユニットの内部の空間である。111  と  112  と  113  は空気穴によって繋がっていることから、再生性能を改善使しようとする低音域の振動に関しては、同一の空間と見なすことができる。
121  はセパレータの空気穴を通過する空気流、122  はフレームの空気穴を通過する空気流である。101  の矢印の方向にスピーカユニットが動いた場合、エンクロージャ内部の空気圧が減少し、その影響でコーンには  131  の矢印の方向に押し下げられる力が作用する。低音といえども、スピーカユニット自体の振動による低音放射も再生性能の一部に含まれることから、104  の方向と  103  の方向が逆になることは、望ましいことではない。
設計の状態にもよるが、低音共振付近では、コーンの動きがスピーカユニットと逆方向に大きく動くことから、エッジ  は  6C  に示すように大きく変形するケースも少なくない。このことは、低音振動によるスピーカユニット自体の音響放射  が  低音振動そのものによるエンクロージャ内部で変化する空気圧の変化  を介して強い関係を持っていることを示す。特に、低スティフネスのスピーカユニットを使う場合、低音振動と低音放射の双方を独立して設計することが極めて難しくなり、選択範囲は大きく制限される。
本案はこの問題を解決する。
【００１５】
図１（ｄ）、（ｅ）、（ｆ）は本案の構造図である。
図１（ｄ）はスピーカユニットが静止している状態を示す。
改善点は  図１（ｃ）の  111  の空間を  112  と  113  からなる空間と気密の弾性膜で仕切るところにある。図１（ｃ）の  111  に相当する空間は  図１（ｆ）では  211  であって、請求項に記述の第２空間である。
空間  212  と  213  はフレームの空気穴と繋がっていることから、低音域では同一空間であるところの、請求項に記述の第１空間である。
図１（ｄ）は2種類のセパレータを示す。
左側は、弾性膜  10EL  と  外枠  10EL1  と  内枠  10EL2  からなるセパレータの例である。この場合、弾性膜の幅は  WL  であって、この部分がスピーカユニットの動きにより変形し、その変形の状態は外枠と内枠の形状寸法に依存する。
右側は、弾性膜  10ER  と  外枠  10ER1  と  内枠  10ER2  と  
中枠  10ER3  からなるセパレータの例である。この場合、弾性膜の幅は
WR1  と  WR2  であって、これらの部分がスピーカユニットの動きにより変形し、変形の状態は外枠と中枠と内枠の形状寸法に依存する。
双方とも例であって、外枠、内枠、中枠  の  第１空間の容積変化に対応する役割は  
変形可能な弾性膜の寸法と形状を決定し、第１空間の容積変化の傾向を調節する。
中枠  10ER3  は弾性膜部分の圧力の影響を受けて、セパレータの動きとは逆方向のたわみを抑制する役割を持つ。
【００１６】
6D  はエッジ、7D  は請求項に記述のサポータである。サポータも気密であり、かつ、振動軸方向に弾性を持つ。7D1  7D2  は  サポータのそれぞれ上下の外枠、7D3  はサポータの内枠である。
スピーカユニットは  サポータとセパレータの双方によって支えられ、強い低音振動に対しても振動軸方向に安定して振動する。
図１（ｅ）は本案のセパレータの２種類の例を示す。左半分は、変形する膜部分が一つの場合、右半分は変形する膜部分が二つの場合を示す。それぞれ、図１（ｄ）の左側と右側のセパレータに対応する。
【００１７】
図１（ｆ）はスピーカユニットが  201  の矢印方向に動いた場合の各部の動きを示す。
201、202、203  はそれぞれスピーカユニットの動きに伴う、外ヨーク、セパレータの外ヨーク側、フレームのエッジ部の動きを示す。201、202、203  は同じ動きである。
204  はコーンの動きを示す。213  は、スピーカユニットの動きに伴う第２空間の圧力変化によって生じるところのコーンが受ける力である。
この力は、図１（ｃ）113  と反対方向にコーンの動きを助長する方向にも、逆にコーンの動きを抑制する方向にも連続して設計することができる。
【００１８】
図１（ｆ）は、黒矢印  211  の動きにより、第１空間の圧力は減少し、第２空間の圧力はセパレータの変形により増加する方向にも作用するよう設計できるところの説明図である。このことは、第１空間と第２空間の圧力差によるセパレータのたわみの状態にも依存する。
セパレータのたわみも含めて、第１空間の圧力変動がスピーカユニットの動きに対して無関係となるよう、設計することができる。
その結果、低音域における、スピーカユニットの機械的振動の共振条件  と  純粋なスピーカとしてのスピーカユニットからの音響的な共振条件の双方の設計の独立性が高まる。
【００１９】
10FL  と  10FR  はスピーカユニットの動きに伴う、それぞれのセパレータの弾性膜の変形を示す。
6F  はスピーカユニットの動きに伴う、エッジを示す。
7F  はスピーカユニットの動きに伴う、サポータの変形を示す。
外枠の内径寸法の如何は、スピーカユニットの動きによる第２空間の圧力変化に影響を及ばさないが、内枠の外径は第２空間の圧力変化に影響を及ぼす。
【００２０】
図２は、図１（ｆ）に示すところのスピーカユニットの動きに対する、第１空間と第２空間の容積の変化を説明するための、それぞれの空間のモデル図である。H  の黒矢印はスピーカユニットの動きを示す。
WVvw  で囲まれる空間はスピーカユニットが静止状態の第２空間の容積を示す。
矢印方向にスピーカユニットが動いた場合、第２空間は  WVvwtT  で囲まれるモデルに対応する空間となり容積は増え、セパレータが気密であることから圧力は減少する。
QWwq  で囲まれる空間はスピーカユニットが静止状態の第２空間のモデルを示す。
矢印方向にスピーカユニットが動いた場合、第１空間の容積は  QWTtwquU  で囲まれるモデルの空間に対応する。SRrs  、  UTtu  のそれぞれで囲まれるモデルの空間に対応する容積は、それぞれスピーカユニットが占める空間に対応する。この部分の容積はスピーカユニットの動きに対して変化させないよう設計するので、この部分の容積は同じであると見なせば、スピーカユニットの動きに対する第１空間の容積の変化は、四角形QWRS  と  四角形QWTU  に対応する容積の差に相当する。
図２の場合では  辺WR  が  辺QS  よりも大きいことから、スピーカユニットの矢印方向の動きに対し第２空間は加圧の傾向となる。
【００２１】
実際のスピーカではセパレータのたわみもあって、図２のモデルどおりにはならないものの、セパレータとサポータとの寸法形状や物性的特性によって,第２空間の圧力変化を加圧傾向にも減圧傾向にも選択的に決定することができる。スピーカの動きに対し、第１空間の容積が減少するか、一定であるか、増加するかは、辺WR  の長さを変えることでも選択することができる。
たとえば、辺WR  を  辺PR  に変えたとすると、
その長さは  辺QS  により近くなることから、セパレータにたわみの発生が無い場合は  第１空間の容積変化は  辺WR  の場合に比べより小さくなる。
辺QS  と  辺WR  または  辺QS  と  辺PR  が等しいとき、スピーカユニットが動いても第１空間の圧力変化は発生しない。
【００２２】
以上、以下において、空間モデルの左側が大文字、右側が小文字であるが、左右対象であることから、大文字表記の左側についてだけ説明する。
【００２３】
以下、空間モデルの２種類のセパレータの弾性膜部分の幅に相当する長さが、一方は
辺WR、他方は  辺PR  であるが、スピーカユニットの部分の空間はスピーカユニットの動きに対し、変化しない条件により、点P  がどの位置にあっても、第１空間の容積の変化は  辺QS  と  辺PR  の関係で決定することから、点P  の位置が  点W  にあるものとして第１空間の空間モデルの面積について説明する。
【００２４】
以下、長XY  は  点X  と  点Y  の間の長さとする。
スピーカユニットが静止状態の時の第１空間のスピーカユニットの空間を除いた空間のモデルに対応する面積は、
（長QP＊長PR）−（長PR−長QS）＊（長QP／2）
スピーカユニットの動きが  H  である場合の第１空間のスピーカユニットの空間を除いた空間のモデルに対応する面積は、
（長QP＊長PR）−（長PR−長QS）＊（長QP／2）＋（長QS−長PR）＊（H／2）
であることから、
静止状態からの変化は  （長QS−長PR）＊（H／2）  となる。
【００２５】
即ち  長QS  と  長PR  が等しい時、スピーカユニットの動きに伴う第１空間の容積は変化しないことになる。
従って、  点P  を移動させることによりスピーカユニットの動きに依存する第１空間の容積変化は  減少から増加の間で連続的に調節することができる。
一例として、何らかの理由で、スピーカユニットが前に押し出されたとき、コーンの動きをさらに前に押し出すことも可能となる。
実働のスピーカの設計において、低音再生性能の改善に際し、第１空間の容積変化を都合のよい状態に決定することが可能となる。結果、低音再生の改善が難しいところの小形の振動型スピーカの設計において、第１図（ｄ）と（ｅ）に示す基本構造は、低音再生設計の選択範囲を広げる有効な方法となる。
【００２６】
図３は、本案と従来のスピーカの動きと圧力の変化の比較特性図である。
Disp  は横軸で  スピーカユニットの動き、Press は縦軸で  圧力変化である。
111、112、113  は図１（ｃ）の場合で、従来例を示す。
211  は図１（ｆ）の本案の実施例の場合の  第1空間の圧力変化を示す。スピーカユニットが黒矢印の方向に動いた場合、減圧となる。
212、213  は第２空間の圧力変化を示す。図１（ｄ）（ｅ）の説明図では、辺WR  は
辺QS  よりも長いことから、スピーカユニットが黒矢印の方向に動いた場合、加圧となる。この加圧の傾向は、減圧にも、また、圧力が変化しないようにも、辺QS  と
辺WR  の関係で、選択が可能である。
【００２７】
以下請求項５の説明に関する。
請求項１に記述の第２空間は、小型スピーカの場合、その容積は製品としてのスピーカに許容される寸法形状によって制限を受ける。第２空間の容積が小さくなると、容積が大きい場合に比べ共振周波数は高くなる傾向にある。第２空間にチューニングポートを設けることで、第２空間の容積を大きくすることなく、チューニングポートの寸法形状の条件により機械振動の共振周波数を変えることができ、結果、設計の自由度が増す。
請求項１に記述のように、スピーカユニットの機械振動に対して、第１空間の容積が変化しないよう、セパレータの形状寸法を設計できることから、第２空間にチューニングポートを設けることによる、第１空間側の音響特性への影響はない。
【符号の説明】
【００２８】
1      スピーカユニット
2      フレームの空気穴
3      コーン
4      フレームのエッジ部
5      外ヨーク
6A     スピーカユニットが静止状態のエッジ
6C     変形状態にあるエッジ
6D     スピーカユニットが静止状態のエッジ
6F     変形状態にあるエッジ
7A     従来型の一例のスピーカユニットが静止状態のサポータ
7C     従来型の一例の変形後のサポータ
7D     本案の一例のスピーカユニットが静止状態のサポータ
7D1    本案の一例の（ｅ）の左側のサポータの外枠
7D2    本案の一例の（ｅ）の左側のサポータの外枠
7D3    本案の一例の（ｅ）の左側のサポータの内枠
7F     変形状態にあるサポータ
8      エンクロージャ
9      エンクロージャの背面蓋
10A    従来型の一例のスピーカユニットが静止状態の補助サポータ
【００２９】
10EL   本案の一例のスピーカユニットが静止状態のセパレータL
10EL1  セパレータLの外枠
10EL2  セパレータLの内枠
10ER   本案の一例のスピーカユニットが静止状態のセパレータR
10ER1  セパレータRの外枠
10FR2  セパレータRの内枠
10ER3  セパレータRの中枠
10FL   変形状態にあるセパレータL
10FR   変形状態にあるセパレータR
WL     セパレータLの弾性膜部分
WR1    セパレータRの外側の弾性膜部分
WR2    セパレータRの内側の弾性膜部分
11     補助サポータの空気流通穴
101    スピーカユニットの動き
102    補助サポータの外ヨークと接する部分の動き
103    スピーカフレームの動き
104    スピーカユニットが動いた場合のコーンの動き
111    スピーカユニット背面の空気圧
112    スピーカユニット側面の空気圧
113    スピーカユニット内部の空気圧
122    フレームの空気穴を通過する空気の流れ
131    スピーカユニットの動きによる空気圧変化によりコーンに加わる力
201    スピーカユニットの動き
202    セパレータの外ヨークと接する部分の動き
203    スピーカフレームの動き
204    コーンの動き
211    スピーカユニット背面の空気圧
212    スピーカユニット側面の空気圧
213    スピーカユニット内部の空気圧
222    フレームの空気穴を通過する空気の流れ
231    スピーカユニットの動きによる空気圧変化によりコーンに加わる力
【００３０】
四角形WVvw    スピーカユニットが静止状態の第２空間のモデル
台形TWVvwt    スピーカユニットが黒矢印H方向に移動した場合の第２空間のモデル
台形SRrs、台形UTtu   スピーカユニットが占める空間のモデル
四角形QWRS、四角形qwrs      スピーカユニットが静止状態のスピーカユニットの
空間を除く第１空間のモデル
四角形UQWT、四角形uqwt      スピーカユニットが黒矢印H方向に移動した場合の
スピーカユニットの空間を除く第１空間のモデル
点P、点p      それぞれ、点W、点w  を変化させた場合の位置
Disp   グラフの横軸で、スピーカユニットの動き
Press  グラフの縦軸で、第1空間と第２空間の圧力
【図１】
2018107789.tif 000003
【図２】
2018107789.tif 000004
【図３】
2018107789.tif 000005